(57)【要約】      （修正有）【課題】正しいスイングを可能とするゴルフ練習治具を提供する。【解決手段】ゴルフ練習治具１００は、フェース面に装着されると共に当該フェース面とは異なる材質からなる板状体からなり、この板状体はフェース面のスイートスポットを避けて平面的に形成する。板状体は、一定の幅を有する半円環形状又は逆Ｕ字形状であって端部１ａが円環の径方向に突出し、この端部１ａ及び突出部４に凸部５又は凹部を設ける。板状体は、弾性体からなる。フェース面に対して略垂直方向となりスイートスポットを囲めるように板状体にゴルフボールの半径以下の高さの壁板２を設ける。更に、壁板２の上端上面の中央にマーク６を設ける。【選択図】図１
0003194582.tif 000002
【実用新案登録請求の範囲】
【請求項１】
フェース面に装着されると共に当該フェース面とは異なる材質からなる板状体からなり、この板状体は前記フェース面のスイートスポットを避けて平面的に形成したことを特徴とするゴルフ練習治具。
【請求項２】
前記板状体は、一定の幅を有する半円環形状又は逆Ｕ字形状であって端部が円環の径方向に突出し、この端部及び突出部に凸部又は凹部を設けたことを特徴とする請求項１に記載のゴルフ練習治具。
【請求項３】
前記板状体は、弾性体からなることを特徴とする請求項１又は２に記載のゴルフ練習治具。
【請求項４】
前記フェース面に対して略垂直方向となり前記スイートスポットを囲めるように前記板状体にゴルフボールの半径以下の高さの壁板を設けたことを特徴とする請求項１〜３のいずれか一つに記載のゴルフ練習治具。
【請求項５】
更に、前記壁の上端上面の中央にマークを設けたことを特徴とする請求項１〜４のいずれか一つに記載のゴルフ練習治具。
【考案の詳細な説明】
【技術分野】
【０００１】
本考案は、正しいスイングを可能とするゴルフ練習治具に関するものである。
【背景技術】
【０００２】
従来から特許文献１に開示されているようなゴルフ練習用器具が知られている。このゴルフ練習用器具は、ゴルフクラブのフェース面のスイートスポットに対し、これを囲むような線状に突起した凸状部材を設けたものである。この凸状部材は、ゴムやプラスチック等の弾力性を備えたものにより構成される。
【０００３】
ゴルファーが構えた状態でヘッドを見ると、凸状部材がクラブのフェース面から突出して見えるので、スイートスポットを認識できる。また、凸状部材にボールが当たってしまった場合には、打球方向がばらつくのでゴルファーにスイートスポットを意識してボールを打つように働きかけることができる。
【先行技術文献】
【特許文献】
【０００４】
【特許文献１】特開２０１２−１６３６９号公報
【考案の概要】
【考案が解決しようとする課題】
【０００５】
しかしながら、上記従来のゴルフ練習器具では、スイートスポットを大幅に外すと凸状部材に当たることなくボールが飛んでしまうので、ボールをパッティングした場合にスイートスポットに当たっているか否か判別し難いという問題点があった。本考案は、係る問題点を解決するためになされたものである。
【課題を解決するための手段】
【０００６】
本考案のゴルフ練習治具は、フェース面に装着されると共に当該フェース面とは異なる材質からなる板状体からなり、この板状体は前記フェース面のスイートスポットを避けて平面的に形成したことを特徴とする。
【０００７】
また、前記板状体は、一定の幅を有する半円環形状又は逆Ｕ字形状であって端部が円環の径方向に突出し、この端部及び突出部に凸部又は凹部を設けた構成とするのが好ましい。
【０００８】
更に、前記板状体は、弾性体とするのが好ましく、前記フェース面に対して略垂直方向となり前記スイートスポットを囲めるように前記板状体にゴルフボールの半径以下の高さの壁板を設けても良い。更に、前記壁の上端上面の中央にマークを設けても良い。
【図面の簡単な説明】
【０００９】
【図１】本考案の実施の形態１に係るゴルフ練習治具を示す斜視図である。
【図２】図１に示したゴルフ練習治具の平面図である。
【図３】図１に示したゴルフ練習治具の上面図である。
【図４】図１に示したゴルフ練習治具の側面図である。
【図５】図２の一部拡大図である。
【図６】ゴルフ練習治具の使用方法を示す説明図である。
【図７】ゴルフ練習治具の使用方法を示す説明図である。
【図８】本考案の実施の形態２に係るゴルフ練習治具を示す斜視図である。
【考案を実施するための形態】
【００１０】
（実施の形態１）
図１は、本考案の実施の形態１に係るゴルフ練習治具を示す斜視図である。図２は、図１に示したゴルフ練習治具の平面図、図３は上面図、図４は側面図である。また、図５は、図２の一部拡大図である。このゴルフ練習治具１００は、ゴルフのパターのフェース面に装着するものであり、逆Ｕ字形状の平面板状体からなる本体１と、前記フェース面に対して略垂直方向となるように本体１の円弧部分の外側端縁から立設した壁板２とから構成される。本体１の裏面（フェース面に取り付ける側の面）には接着剤が塗布され、図示しない離型シートで保護されている。
【００１１】
本体１は、パターとは異なる材質の成形品である。例えば、薄肉にすることで一定の弾性力を備え得るポリエチレン (PE)、高密度ポリエチレン(HDPE)、中密度ポリエチレン(MDPE)、低密度ポリエチレン(LDPE)、ポリプロピレン (PP)、ポリ塩化ビニル (PVC)、ポリ塩化ビニリデン、ポリスチレン (PS)、ポリ酢酸ビニル (PVAc)、ポリウレタン(PUR)、ABS樹脂（アクリロニトリルブタジエンスチレン樹脂）、AS樹脂、アクリル樹脂 (PMMA)等を用いることができる。また、シリコンゴム等の弾性体を用いることができる。この本体１の開口部３は、フェース面のスイートスポットを避け得るような形状及び大きさに設定されており、全体で厚さは均一になっている。本体１は板状体であるから本質的に一定の幅Ｗを備え、その幅Ｗも略一定である。当該幅Ｗは、具体的には８ｍｍ以上１５ｍｍ以下とし、開口部３の径を２０ｍｍ以上３０ｍｍ以下するのが好ましい。この程度の幅Ｗがスイング時にぶれるものと想定され、それ以上ずれるとフェース面の端近傍に当たるので違和感があり使用者が認識できるからである。また、幅Ｗを１５ｍｍ以上２０ｍｍ以下とし、開口部３の径を１０ｍｍ以上２０ｍｍ以下としても良い。この寸法設定は、プレイヤーの習熟度により適宜設定できる。後者の例ではレベルが高いプレイヤー用となる。
【００１２】
本体１は、端部が外側ないし円環の径方向に突出部４を備えており、当該突出部４及び逆Ｕ字形状の端部１ａには、複数の凸部５が施されている。この凸部５はデザイン的な性質も有するものであるが、この凸部５にボールが当たることでボールの進行方向に大きな変化が与えられる。特に、ボールに対して凸部５が複数同時に接触しないような密度や配置とするのが好ましい。例えば、細かい凸部５を複数グリッド状に設けるとボールが比較的直進する傾向にあるので、凸部５同士がランダムに離れた距離にあったり、高さが異なったり、形状が異なったりするのが好ましい。特に、凸部５は先端が球状であると、ボールに当たったときに当該ボールの進行方向が乱れやすいので好ましい。なお、同図の例では、猫の足跡形状である。なお、当該凸部５は必須ではなく、突出部４にはデザイン的な絵柄のみを施すようにしても良い。
【００１３】
更に、前記壁板２は、前記スイートスポットを囲めるように設けられる。この壁板２は、本体１と一体成形され同じ素材で形成されたものである。また、高さは一定であり、平均的なゴルフボールの半径以下とするのが好ましい。半径以下とすることでボールが隠れて中心を見難いためである。具体的には、壁板の高さは５ｍｍ〜２０ｍｍとする。厚さは１ｍｍ前後で良い。更に、壁板２の上端上面の中央にはマーク６が設けられる。マーク６は、凹凸形状により一体成形しても良いし、シールを付加して設けても良い。マーク６は、フェース面に垂直方向となるように直線で形成される。なお、壁板２は、本体１と別の素材で成形して取り付けるようにしても良い。
【００１４】
次に、このゴルフ練習治具の使用方法を説明する。まず、図６に示すように、パターＰのフェース面Ｆに本考案のゴルフ練習治具１００を装着する。このとき、本体１の裏面の離型シートを剥して接着剤が塗布された面を露出する。そして、フェース面ＦのスイートスポットＳが開口部３により露出するように、換言すればフェース面Ｆの周囲に本体１が位置するように貼り付ける。ここで、本体１がパターとは別の素材、例えば弾性体により成形されているので、フェース面Ｆが多少湾曲していても本体１が僅かに変形して綺麗に貼り付けることができる。
【００１５】
この状態で、図７に示すように、壁板２がフェース面Ｆから略垂直方向に突出するかたちになる。また、本体１を取り付ける際、壁板２のマーク６が適切な位置（最上位置）になるようにしておく。これにより、スイートスポットＳの周囲に本体１が取り付けられたことになる。
【００１６】
使用者はボールＢを地面に置き、パターＰを正しく構え、フェース面ＦをボールＢに対して当てるように動作し（図７の矢印方向）、位置を確認する。このとき、ボールＢが壁板２の内部に入るようなイメージでヘッド及びフェース面Ｆを調節する。これにより、ボールＢに対するフェース面Ｆの角度等をより正確に判断できる。また、壁板２のマーク６がボールＢの中心にくるように目視しながら調整をする。
【００１７】
そして、いったんボールＢからヘッドを離し、再び軽くスイングしてフェース面ＦでボールＢをパッティングする。このとき、ボールＢが開口部３の内側、即ちスイートスポットＳに当たると、スイングした方向にボールＢが飛ぶ。一方、ヘッドがずれてしまうと、前記ボールＢに本体１が当たってしまい、特に本体１の角部（開口部３の周縁）に当たると、ボールＢはスイングした方向とは全く違う方向に飛ぶ。また、突出部４にかけて凸部５が形成されていることから、凸部５にボールＢが当たると、思わぬ方向にボールＢが飛んでしまうので、使用者はパッティングに問題があることを理解できる。
【００１８】
また、凸部５でない部分にボールＢが当たっても、本体１の厚さにより開口部３の角がボールＢに当たることで当該ボールＢが思わぬ方向に飛ぶことになるし、本体１はヘッドとは異なる材料、具体的には弾性体により成形されているので、打った感覚に違和感を得、パッティングに問題があったことを理解できる。
【００１９】
以上、本考案のゴルフ練習治具１００によれば、本体１が一定の幅Ｗを有していることから、スイートスポットＳを外してパッティングするとボールＢの挙動が大きく変わるのでスイートスポットＳから外れていることを確実に認識可能である。また、壁板２によりボールＢに対するフェース面Ｆの角度や位置を正確に矯正できる。更に、上記ではパットの練習を例に挙げたが、ドライバーに装着してフォームの矯正をするようにしても良い。
【００２０】
（実施の形態２）
図８は、本考案の実施の形態２に係るゴルフ練習治具を示す斜視図である。このゴルフ練習治具２００は、上記実施の形態１に係るゴルフ練習治具１００の壁板２を省略した構造であり、且つ、本体１の形状をＣ字形状ないし円弧形状としたものである。その他の構成は上記実施の形態１と同じである。また、本体１の厚さは、スイートスポット側（内側）ほど厚く、外側に向けて緩やかに薄くなっている。即ち、本体１の厚さが場所によって異なるようにする。これにより、本体１にボールＢが当たると、パッティング方向とは異なる方向に飛ぶことになる。
【００２１】
また、壁板２の代わりに、複数の棒状突起５１が設けられている。この棒状突起５１は、フェース面ＦのスイートスポットＳを囲むようにして位置するようにする。使用者は、ボールＢが棒状突起５１により形成したエリアの内部に入るようなイメージでヘッド及びフェース面Ｆを調節する。これにより、ボールＢに対するフェース面Ｆの角度等をより正確に判断できる。
【符号の説明】
【００２２】
１００  ゴルフ練習治具
１  本体
２  壁板
３  開口部
４  突出部
５  凸部
【図１】
0003194582.tif 000003
【図２】
0003194582.tif 000004
【図３】
0003194582.tif 000005
【図４】
0003194582.tif 000006
【図５】
0003194582.tif 000007
【図６】
0003194582.tif 000008
【図７】
0003194582.tif 000009
【図８】
0003194582.tif 000010